(57)【要約】【課題】夜中等においては、検知された人以外の人への影響を極力防止すると共に、検知された人には確実に報知することが可能となる通信装置を提供する。【解決手段】親機１０のＣＰＵ２１は、静穏モードに設定され、且つ、焦電センサ１６によって、親機１０の周囲に人を検知した場合には、設定可能な４段階の音量のうち、親機１０の近くで聞き取り可能な「極小」レベルの音量でメッセージやダイヤル送出音等を再生する（Ｓ１１１〜Ｓ１１５）。【選択図】図４
2008244881.tif 000002
【特許請求の範囲】
【請求項１】
静穏モードを設定可能なモード設定手段と、
人体を検知する人体検出センサと、
報知情報を音で報知する音報知手段と、
前記モード設定手段によって静穏モードに設定され、且つ、静穏モード中に前記人体検出センサによって人体を検知した場合には、前記音報知手段が本体の近くで聞き取り可能な小さな音量で報知するように制御する小音制御手段と、
を備えたことを特徴とする通信装置。
【請求項２】
前記人体検出センサによって人体を検知したことを発光によって報知する光報知手段と、
前記モード設定手段によって静穏モードに設定され、且つ、静穏モード中に前記人体検出センサによって人体を検知した場合には、前記光報知手段が発光するように制御する発光制御手段と、
を備えたことを特徴とする請求項１に記載の通信装置。
【請求項３】
表示手段と、
前記モード設定手段によって静穏モードに設定され、且つ、静穏モード中に前記人体検出センサによって人体を検知した場合には、前記表示手段を介してメッセージを表示するように制御する表示制御手段と、
を備えたことを特徴とする請求項１又は請求項２に記載の通信装置。
【請求項４】
前記小音制御手段は、前記報知情報がメッセージを含む場合には、前記音報知手段が該メッセージの最初に喚起音を付加して報知するように制御することを特徴とする請求項１乃至請求項３のいずれかに記載の通信装置。
【請求項５】
子機と、
前記子機からの着信を検出する着信検出手段と、
を備え、
前記モード設定手段によって静穏モードに設定され、且つ、子機からの着信を検出した場合には、前記小音制御手段は、前記音報知手段を介して着信音を本体の近くで聞き取り可能な小さな音量で報知するように制御することを特徴とする請求項１乃至請求項４のいずれかに記載の通信装置。
【請求項６】
前記音報知手段の音量を小の状態から大の状態へ複数段階の音量に設定可能な音量設定手段を備え、
前記小音制御手段は、前記音報知手段の音量を前記音量設定手段で設定可能な最も小の状態の音量に設定することを特徴とする請求項１乃至請求項５のいずれかに記載の通信装置。
【請求項７】
前記人体検出センサは、焦電型赤外線センサであることを特徴とする請求項１乃至請求項６のいずれかに記載の通信装置。
【発明の詳細な説明】
【技術分野】
【０００１】
本発明は、人体を検知する人体検出センサを備えた通信装置に関するものである。
【背景技術】
【０００２】
従来より、人体を検知する人体検出センサを備えた通信装置が種々提案されている。
例えば、所定値の音圧サンプルデータと、所定値の振動サンプルデータを保持し、装置の周囲の音圧や、装置の振動を検出する。そして、着信通知を行った後、着信音を鳴動し、検出された音圧と保持される音圧サンプルデータを比較し、また、検出された振動と保持される振動サンプルデータを比較する。その後、検出された音圧が保持された音圧サンプルデータよりも小さく、且つ、検出された振動が保持された振動サンプルデータよりも小さい場合には、近くに人がいないと判断し、着信通知があった際、着信音量を小の状態から大の状態に徐々に着信音の鳴動を行うようにした通信装置がある（例えば、特許文献１参照。）。
【特許文献１】特開２００６−３２５０４１号公報（段落（００１７）〜（００３０）、図１〜図５）
【発明の開示】
【発明が解決しようとする課題】
【０００３】
しかしながら、上述した特許文献１に記載される構成では、夜中等においても着信音量が大きくなってしまい、利用者以外の人が不愉快な思いをする可能性があるという問題が有る。
【０００４】
そこで、本発明は、上述した問題点を解決するためになされたものであり、夜中等においては、検知された人以外の人への影響を極力防止すると共に、検知された人には確実に報知することが可能となる通信装置を提供することを目的とする。
【課題を解決するための手段】
【０００５】
前記目的を達成するため請求項１に係る通信装置は、静穏モードを設定可能なモード設定手段と、人体を検知する人体検出センサと、報知情報を音で報知する音報知手段と、前記モード設定手段によって静穏モードに設定され、且つ、静穏モード中に前記人体検出センサによって人体を検知した場合には、前記音報知手段が本体の近くで聞き取り可能な小さな音量で報知するように制御する小音制御手段と、を備えたことを特徴とする。
【０００６】
また、請求項２に係る通信装置は、請求項１に記載の通信装置において、前記人体検出センサによって人体を検知したことを発光によって報知する光報知手段と、前記モード設定手段によって静穏モードに設定され、且つ、静穏モード中に前記人体検出センサによって人体を検知した場合には、前記光報知手段が発光するように制御する発光制御手段と、を備えたことを特徴とする。
【０００７】
また、請求項３に係る通信装置は、請求項１又は請求項２に記載の通信装置において、表示手段と、前記モード設定手段によって静穏モードに設定され、且つ、静穏モード中に前記人体検出センサによって人体を検知した場合には、前記表示手段を介してメッセージを表示するように制御する表示制御手段と、を備えたことを特徴とする。
【０００８】
また、請求項４に係る通信装置は、請求項１乃至請求項３のいずれかに記載の通信装置において、前記小音制御手段は、前記報知情報がメッセージを含む場合には、前記音報知手段が該メッセージの最初に喚起音を付加して報知するように制御することを特徴とする。
【０００９】
また、請求項５に係る通信装置は、請求項１乃至請求項４のいずれかに記載の通信装置において、子機と、前記子機からの着信を検出する着信検出手段と、を備え、前記モード設定手段によって静穏モードに設定され、且つ、子機からの着信を検出した場合には、前記小音制御手段は、前記音報知手段を介して着信音を本体の近くで聞き取り可能な小さな音量で報知するように制御することを特徴とする。
【００１０】
また、請求項６に係る通信装置は、請求項１乃至請求項５のいずれかに記載の通信装置において、前記音報知手段の音量を小の状態から大の状態へ複数段階の音量に設定可能な音量設定手段を備え、前記小音制御手段は、前記音報知手段の音量を前記音量設定手段で設定可能な最も小の状態の音量に設定することを特徴とする。
【００１１】
更に、請求項７に係る通信装置は、請求項１乃至請求項６のいずれかに記載の通信装置において、前記人体検出センサは、焦電型赤外線センサであることを特徴とする。
【発明の効果】
【００１２】
前記構成を有する請求項１に係る通信装置では、静穏モード動作中において、人体検出センサによって人を検知した場合には、本体の近くで聞き取り可能な小さな音量で報知情報を報知するため、検知された人は、報知情報を認識することが可能となる。また同時に、本体の近くで聞き取り可能な小さな音量であるため、当該検知された人以外の人で、本体から離れた所にいる人への報知情報の報知による影響を極力防止して、夜中等における不愉快な思いを防止することが可能となる。
尚、静穏モードとは、就寝時間中等の予め設定した開始時刻から終了時刻までにおいて（例えば、午後１１：００から午前７：００までの間である。）、外線からの着信音や留守録の回線モニター音等を出力する機能が停止されるモードをいう。
【００１３】
また、請求項２に係る通信装置では、静穏モード動作中において、人体検出センサによって人を検知した場合には、光報知手段が発光するため、当該検知された人は、夜中等の暗い場合でも本体の位置や報知情報があることを容易に認識することが可能となる。
【００１４】
また、請求項３に係る通信装置では、静穏モード動作中において、人体検出センサによって人を検知した場合には、メッセージが表示される。このため、当該検知された人は、表示されたメッセージによって、ファックシミリの着信、留守番録音、着信エラー等があった旨等のお知らせメッセージや、伝言メッセージ等が音報知手段により再生されていることを容易に認識することが可能となる。
【００１５】
また、請求項４に係る通信装置では、本体の近くで聞き取り可能な小さな音量でメッセージを報知する場合には、最初に喚起音が報知されるため、検知された人は、喚起音を聞くことによって、メッセージの再生があることを容易に認識できる。そして、検知された人は、当該メッセージを注意深く聞くことが可能となり、伝達事項等を確実に聞き取ることが可能となる。
【００１６】
また、請求項５に係る通信装置では、静穏モード動作中において、子機からの着信を検出した場合には、着信音を本体の近くで聞き取り可能な小さな音量で報知するため、検知された人は、子機からの着信を認識することが可能となる。また同時に、着信音は本体の近くで聞き取り可能な小さな音量であるため、当該検知された人以外の人で、本体から離れた所にいる人への報知情報の報知による影響を極力防止して、夜中等における不愉快な思いを防止することが可能となる。
【００１７】
また、請求項６に係る通信装置では、静穏モード動作中において、人体検出センサによって人を検知した場合には、小の状態から大の状態へ複数段階の設定可能な音量のうち最も小の状態の音量で報知情報を報知する。このため、ユーザは音報知手段の音量を予め認識でき、報知情報を本体の近くで確実に聞き取ることが可能となる。
【００１８】
更に、請求項７に係る通信装置では、人体検出センサは、焦電型赤外線センサであるため、人の動きを確実に検知することが可能となる。
【発明を実施するための最良の形態】
【００１９】
以下、本発明に係る通信装置をファクシミリ装置について具体化した実施例に基づき図面を参照しつつ詳細に説明する。
【実施例】
【００２０】
［ファクシミリ装置の全体構成］
先ず、本実施例に係るファクシミリ装置１の概略構成について図１に基づき説明する。
図１は本実施例に係るファクシミリ装置１の概略構成を示す斜視図である。
図１に示すように、ファクシミリ装置１は、電話回線網１００（図２参照）を介して音声通話を実現する機能（電話通話機能）や電話回線網１００を介して画像データの送受信を行う機能（ファクシミリ機能）等を有しており、図１に示すように、電話回線網１００に接続される親機１０と、その親機１０との間で無線回線を介して接続される子機５０と、図示しない外部電源に接続され、子機５０を着脱可能に載置し、載置された子機５０を所定の電圧で充電するための充電台８０とから構成されている。
【００２１】
親機１０は、その親機本体ケース１１の側部に、親機１０本体から取り外した状態で使用される送受話器であるハンドセット１２が載置される受話器台１２Ａが設けられている。更に、親機本体ケース１１の上面には、各種機能に関連する情報を表示するための液晶ディスプレイ（ＬＣＤ）１３と、相手先の電話番号やＦＡＸ番号、各種コマンド等を入力するためのダイヤルボタン１４Ａ、液晶ディスプレイ１３に表示されるメニュー画面等で選択するときに操作される選択ボタン１４Ｂ等の各種操作ボタン１４が備えられている。
【００２２】
尚、液晶ディスプレイ１３は、表示画面を背面から照明するバックライト付の液晶ディスプレイ（ＬＣＤ）である。
また、親機本体ケース１１の受話器台１２Ａと反対側の側面部には、コードレス子機５０との間で無線通信を行うためのアンテナ１５が設けられている。また、親機本体ケース１１の前面部には、人体を検知する人体検出センサの一例としての焦電型赤外線センサ（以下、「焦電センサ」という。）１６が配置されている。
【００２３】
この親機１０は、受話器台１２Ａに載置されるハンドセット１２を用いた電話（音声通話）機能を有する他、ファクシミリ装置としての基本的な機能である、原稿読み取り機能及び画像記録機能を備えている。
【００２４】
また、子機５０は、ハンドセットの形状をした子機本体ケース５１の表面上に、各種機能に関連する情報を表示するための液晶ディスプレイ（ＬＣＤ）５３と、相手側の電話番号を入力するためのダイヤルボタン５４Ａ、表示パネル５３に表示されるメニュー画面等で選択するときに操作される選択ボタン５４Ｂ等の各種操作ボタン５４と、トーン信号や通話相手の音声などが出力されるスピーカ部６７等を備えている。また、子機５０は、当該子機５０全体に電源を供給する二次電池７１（図２参照）を充電台８０から充電するための充電用端子５５（図２参照）が備えられている。
【００２５】
また、充電器８０は、子機５０が載置されると当該子機５０の充電用端子５５に接触する充電用端子８２（図２参照）を備えている。
そして、子機５０は、二次電池７１（図２参照）から電源供給を受けて動作するため、二次電池７１を充電する際は、図示のように充電台８０に子機５０を載置して充電を行う。つまり、子機５０がこの充電台８０に載置されているときに、この充電台８０から電力の供給を受けて二次電池７１が充電される。
【００２６】
次に、ファクシミリ装置１の電気的構成について図２に基づいて説明する。
図２はファクシミリ装置１の電気的構成を示すブロック図である。
図２に示すように、親機１０は、親機１０全体の動作を制御する制御部２０、ハンドセット１２、液晶ディスプレイ１３および操作ボタン１４からなるユーザインターフェース部（以降、ユーザＩ／Ｆとする）１７、音声信号を入力および出力する音声入出力部２３、予め記憶された各種音声信号に基づく音声を再生する再生部２５、子機５０との間で音声信号を含めた各種信号を無線通信により送受信する無線通信部２７、電話回線網１００経由で伝送される音声信号を入出力するＮＣＵ（network control unit）２９、親機１０内部における音声信号の伝送経路を切り換える経路切換部３１等を備えている。
【００２７】
これらの内、制御部２０は、当該親機１０に搭載された各種デバイスを統括して制御するＣＰＵ２１と、種々のデータを格納するＲＡＭ２１Ａと、電力が供給されない状態でも記憶されたデータを保持可能なＥＥＰＲＯＭ２１Ｂと、当該ＣＰＵ２１にて実行すべき各種処理のプログラムを記憶するＲＯＭ２１Ｃ、時間の計測を行うタイマ（図示せず）等を備えている。
また、音声入出力部２３は、スピーカ２３Ａ、マイク２３Ｂおよびこれらを駆動する駆動回路２３Ｃを備え、スピーカ２３Ａから音声信号に基づく音声を出力する以外に、スピーカ２３Ａおよびマイク２３Ｂを送受話器として、いわゆるハンズフリー通話を行えるように構成されている。
【００２８】
また、再生部２５は、着信を受けた際に利用される呼出音、音声通話を保留する際に利用される保留音などの音声信号を記憶し、ＣＰＵ２１からの指令を受けて、記憶されている音声信号を再生する。再生された音声信号はスピーカ２３Ａから出力される。
【００２９】
また、無線通信部２７は、子機５０との間で音声信号を含めた各種信号をアンテナ１５を介して無線通信により送受信する。
また、経路切換部３１は、通話を開始するための操作が行われた場合に、親機１０外部との音声信号の入出力に利用する伝送経路をハンドセット１２、音声入出力部２３、無線通信部２７のいずれかに切り換える。具体的には、ハンドセット１２が親機１０本体から取り外された場合は、伝送経路をハンドセット１２に切り換え、ユーザＩ／Ｆ１７の操作ボタン１４によりハンズフリー通話を開始するための操作が行われた場合は、伝送経路を音声入出力部２３に切り換え、子機５０により通話を開始するための操作（例えば、後述の操作ボタン５４によって、外線通話又は親機１０や他の子機５０との内線通話の通信設定操作である。）が行われた場合には、伝送経路を無線通信部２７に切り換える。
【００３０】
一方、子機５０は、子機５０全体の動作を制御する制御部６０と、スピーカとマイクおよびこれらを駆動する駆動回路からなる送受話部６３と、液晶ディスプレイ（ＬＣＤ）５３および操作ボタン５４からなるユーザＩ／Ｆ５７と、予め記憶された各種音声信号に基づく音声を再生する再生部６５と、再生部６５により再生された音声を出力するスピーカおよびスピーカを駆動する駆動回路からなるスピーカ部６７と、親機１０の無線通信部２７との間で音声信号を含めた各種信号を無線通信により送受信する無線通信部６９と、子機５０全体に電源を供給する二次電池７１と、充電台８０の充電用端子８２と電気的に接続するための充電用端子５５と、充電用端子５５への電圧印加を検出するとともに、充電用端子５５を介して充電台８０から供給される電源電圧により二次電池７１を充電する充電回路７５と備えている。
【００３１】
これらの内、制御部６０は、当該子機５０に搭載された各種デバイスを統括して制御するＣＰＵ６１と、種々のデータを格納するＲＡＭ６２Ａと、電力が供給されない状態でも記憶されたデータを保持可能なＥＥＰＲＯＭ６２Ｂとを備えている。
また、再生部６５は、着信を受けた際に利用される呼出音、音声通話を保留する際に利用される保留音などの音声信号が記憶されている。
【００３２】
さらに、充電台８０は、上述の充電用端子８２を備え、外部電源（例えば、ＡＣ１００Ｖである。）に接続される。
このように構成されたファクシミリ装置１において、親機１０は、電話回線網１００を介して外部の相手側通信端末との間で外線通話が可能で、子機５０との間で内線通話が可能となっている。また、子機５０は、親機１０経由で電話回線網１００を介して外部の相手側通信端末との間で外線通話が可能となっている。
【００３３】
さらに、子機５０は、最大４台まで増設可能で、複数の子機５０が存在する場合には、子機５０同士でも内線通話が可能となっている。本実施例において、子機５０同士での内線通話を行う場合、各子機５０は親機１０と通信を行い、親機１０経由で子機５０同士が内線通話を行うようになっている。
【００３４】
［報知処理］
次に、上記のように構成された親機１０のＣＰＵ２１が実行する焦電センサ１６を介して人を検知した場合に、メッセージ等を報知する「報知処理」について図３に基づいて説明する。
図３は親機１０のＣＰＵ２１が実行する人を検知した場合に、メッセージ等を報知する「報知処理」を示すメインフローチャートである。
【００３５】
図３に示すように、先ず、ステップ（以下、Ｓと略記する）１１において、ＣＰＵ２１は、焦電センサ１６を介して親機１０の周囲に人が現れるのを待つ、例えば、ユーザが帰宅するのを待つ（Ｓ１１：ＮＯ）。
【００３６】
続いて、焦電センサを介して親機１０の周囲に人を検知した場合には、例えば、帰宅したユーザを検知した場合には（Ｓ１１：ＹＥＳ）、ＣＰＵ２１は、Ｓ１２の処理に移行する。Ｓ１２において、ＣＰＵ２１は、検知した人に伝達するメッセージをＲＡＭ２１Ａに記憶しているか否か、又は、所定メッセージを送信する相手先のダイヤル番号をＥＥＰＲＯＭ２１Ｂに記憶しているか否かを判定する判定処理を実行する。
【００３７】
そして、検知した人に伝達するメッセージをＲＡＭ２１Ａに記憶せず、また、所定メッセージを送信する相手先のダイヤル番号をＥＥＰＲＯＭ２１Ｂに記憶していない場合には（Ｓ１２：ＮＯ）、ＣＰＵ２１は、再度Ｓ１１以降の処理を実行する。
一方、検知した人に伝達するメッセージをＲＡＭ２１Ａに記憶している場合、又は、所定メッセージを送信する相手先のダイヤル番号をＥＥＰＲＯＭ２１Ｂに記憶している場合には（Ｓ１２：ＹＥＳ）、ＣＰＵ２１は、Ｓ１３の処理に移行する。Ｓ１３において、ＣＰＵ２１は、静穏モードに設定されているか否か、即ち、現在時刻が静穏モードの開始時刻から終了時刻までの間の時刻か否かを判定する判定処理を実行する。
【００３８】
尚、静穏モードは、操作ボタン１４を介して就寝時間中等の予め設定した開始時刻から終了時刻までにおいて（例えば、午後１１：００から午前７：００までの間である。）、親機１０及び子機５０共に、外線からの着信音や留守番録音中の録音内容をスピーカ２３Ａやスピーカ部６７からメッセージ再生（回線モニター）等の出力をする機能が停止されるモードをいう。そして、静穏モードに設定された場合には、当該静穏モードが解除設定されない限り、予め設定された開始時刻から終了時刻まで（例えば、午後１１：００から午前７：００までの間である。）静穏モードに自動的に繰り返し設定される。また、ＣＰＵ２１は、静穏モードの設定された開始時刻及び終了時刻を、ＥＥＰＲＯＭ２１Ｂに記憶している。
【００３９】
そして、静穏モードに設定されている場合、即ち、現在時刻が静穏モードの開始時刻から終了時刻までの間の時刻である場合には（Ｓ１３：ＹＥＳ）、ＣＰＵ２１は、Ｓ１４の処理に移行する。Ｓ１４において、ＣＰＵ２１は、音声入出力部２３を介してスピーカ２３Ａの音量を静穏モードでの音量、即ち、「極小」レベルの音量に設定する。
続いて、Ｓ１５において、ＣＰＵ２１は、後述の「静穏モード報知処理」のサブ処理（図４参照）を実行後、再度Ｓ１１以降の処理を実行する。
【００４０】
尚、スピーカ２３Ａの音量は、「極小」、「小」、「中」、「大」の４レベルに設定可能に構成されている。この「極小」レベルの音量は、親機１０の近くで聞き取り可能な音量である。また、この「大」レベルの音量は、静かな室内で親機１０から約３ｍ〜１０ｍ離れても聞き取り可能な音量である。
【００４１】
一方、静穏モードに設定されていない場合、即ち、現在時刻が静穏モードの開始時刻前又は静穏モードの終了時刻以降の時刻である場合には（Ｓ１３：ＮＯ）、ＣＰＵ２１は、Ｓ１６の処理に移行する。Ｓ１６において、ＣＰＵ２１は、音声入出力部２３を介してスピーカ２３Ａの音量を予め設定されてる通常音量（例えば、「中」レベルの音量である。）に設定する。
【００４２】
そして、Ｓ１７において、ＣＰＵ２１は、「通常報知処理」のサブ処理を実行後、再度Ｓ１１以降の処理を実行する。
例えば、ＣＰＵ２１は、スピーカ２３Ａを介して「中」レベルの音量で、ＲＡＭ２１Ａに記憶している伝達メッセージを再生する。また、所定メッセージを送信する相手先のダイヤル番号をＥＥＰＲＯＭ２１Ｂに記憶している場合には、ＣＰＵ２１は、相手先のダイヤル番号にダイヤルしている間は、「中」レベルの音量で、ダイヤル送出音を再生する。また、ＣＰＵ２１は、所定メッセージを送出している間は、「中」レベルの音量で、スピーカ２３Ａによる所定メッセージの再生（回線モニター）を行い、その後、回線を開放する。
【００４３】
［静穏モード報知処理］
次に、「静穏モード報知処理」のサブ処理について図４に基づいて説明する。
図４は図３の「静穏モード報知処理」のサブ処理を示すサブフローチャートである。
図４に示すように、Ｓ１１１において、ＣＰＵ２１は、スピーカ２３Ａを介して、上記Ｓ１４で設定された「極小」レベルの音量で「ピーッ」等の喚起音を鳴らすと共に、液晶ディスプレ１３のバックライトを光らせて、焦電センサ１６で検知した人の注意を引いて、報知内容がある旨を知らせる。
【００４４】
尚、焦電センサ１６を介して検知した人に伝達するメッセージがＲＡＭ２１Ａに記憶されている場合には、ＣＰＵ２１は、「極小」レベルの音量で、「メッセージがあります。」等の音声案内を行ってもよい。また、液晶ディスプレ１３のバックライトを所定時間（例えば、５秒〜１０秒間である。）点滅発光させてもよい。
【００４５】
続いて、Ｓ１１２において、ＣＰＵ２１は、焦電センサ１６を介して検知した人に伝達するメッセージがＲＡＭ２１Ａに記憶されているか否かを判定する判定処理を実行する。
そして、焦電センサ１６を介して検知した人に伝達するメッセージがＲＡＭ２１Ａに記憶されている場合には（Ｓ１１２：ＹＥＳ）、ＣＰＵ２１は、Ｓ１１３の処理に移行する。
Ｓ１１３において、ＣＰＵ２１は、後述の「メッセージ再生処理」のサブ処理（図５参照）を実行後、Ｓ１１４の処理に移行する。
【００４６】
一方、焦電センサ１６を介して検知した人に伝達するメッセージがＲＡＭ２１Ａに記憶されていない場合には（Ｓ１１２：ＮＯ）、ＣＰＵ２１は、Ｓ１１４の処理に移行する。Ｓ１１４において、ＣＰＵ２１は、所定メッセージを送信する相手先のダイヤル番号をＥＥＰＲＯＭ２１Ｂに記憶しているか否かを判定する判定処理を実行する。
そして、所定メッセージを送信する相手先のダイヤル番号をＥＥＰＲＯＭ２１Ｂに記憶していない場合には（Ｓ１１４：ＮＯ）、ＣＰＵ２１は、当該サブ処理を終了してメインフローチャートに戻る。
【００４７】
一方、所定メッセージを送信する相手先のダイヤル番号をＥＥＰＲＯＭ２１Ｂに記憶している場合には（Ｓ１１４：ＹＥＳ）、ＣＰＵ２１は、Ｓ１１５の処理に移行する。Ｓ１１５において、ＣＰＵ２１は、後述の「帰宅お知らせ処理」のサブ処理（図９参照）を実行後、当該サブ処理を終了してメインフローチャートに戻る。
【００４８】
［メッセージ再生処理］
次に、「メッセージ再生処理」のサブ処理について図５乃至図８に基づいて説明する。
図５は図４の「メッセージ再生処理」のサブ処理を示すサブフローチャートである。図６はステップ２１１における液晶ディスプレイ１３の表示の一例を示す図である。図７はメッセージ再生後における液晶ディスプレイ１３の表示の一例を示す図である。図８は「メッセージ再生処理」のサブ処理終了後における液晶ディスプレイ１３の表示の一例を示す図である。
【００４９】
図５に示すように、Ｓ２１１において、ＣＰＵ２１は、スピーカ２３Ａを介して、上記Ｓ１４で設定された「極小」レベルの音量で、最初に「ピーッ」等の喚起音を鳴らした後、ＲＡＭ２１Ａから検知した人へ伝達するメッセージを読み出して、再生する。
【００５０】
例えば、図６に示すように、ＣＰＵ２１は、液晶ディスプレイ１３に「メッセージ再生中です」と表示する。また、ＣＰＵ２１は、スピーカ２３Ａを介して、「極小」レベルの音量で「ピーッ！」と鳴らした後、「パパおかえり・・・」とメッセージを再生する。その後、図７に示すように、液晶ディスプレイ１３に「もういちど  ききますか？」と表示すると共に、液晶ディスプレイ１３の左下隅に「はい」、右下隅に「いいえ」と表示する。
【００５１】
これにより、親機１０の近くで検知された人（例えば、父親である。）は、夜遅く帰宅しても、「極小」レベルの音量で再生された喚起音及びメッセージを聞くことが可能となる。また、当該喚起音及びメッセージの再生音は、親機１０の近くで聞き取り可能な「極小」レベルの音量であるため、寝室等で寝ている家族には聞こえないため、当該家族の安眠が妨げられる等の不愉快な思いを防止することが可能となる。
【００５２】
続いて、Ｓ２１２において、ＣＰＵ２１は、操作ボタン１４のうちのメッセージ再生を指示する再生ボタンが押下されたか否かを判定する判定処理を実行する。
例えば、図１及び図７に示すように、液晶ディスプレイ１３の手前側の左端のボタンが「再生ボタン」である。
そして、再生ボタンが押下された場合には（Ｓ２１２：ＹＥＳ）、ＣＰＵ２１は、再度Ｓ２１１以降の処理を実行する。
【００５３】
一方、再生ボタンが押下されなかった場合には（Ｓ２１２：ＮＯ）、ＣＰＵ２１は、Ｓ２１３の処理に移行する。Ｓ２１３において、ＣＰＵ２１は、操作ボタンのうちメッセージ再生の終了を指示する終了ボタンが押下されたか否かを判定する判定処理を実行する。
例えば、図１及び図７に示すように、液晶ディスプレイ１３の手前側の右端のボタンが「終了ボタン」である。
【００５４】
そして、終了ボタンが押下された場合には（Ｓ２１３：ＹＥＳ）、ＣＰＵ２１は、当該サブ処理を終了して、「静穏モード報知処理」のサブ処理に戻る。また、例えば、図８に示すように、ＣＰＵ２１は、液晶ディスプレイ１３に待機中の表示を行う。
一方、終了ボタンが押下されなかった場合には（Ｓ２１３：ＮＯ）、ＣＰＵ２１は、Ｓ２１４の処理に移行する。Ｓ２１４において、ＣＰＵ２１は、メッセージを再生してから所定時間（例えば、約３分間である。）経過したか否かを判定する判定処理を実行する。
【００５５】
そして、メッセージを再生してから所定時間（例えば、約３分間である。）経過していない場合には（Ｓ２１４：ＮＯ）、ＣＰＵ２１は、再度Ｓ２１２以降の処理を実行する。
一方、メッセージを再生してから所定時間（例えば、約３分間である。）経過した場合には（Ｓ２１４：ＹＥＳ）、ＣＰＵ２１は、当該サブ処理を終了して、「静穏モード報知処理」のサブ処理に戻る。また、例えば、図８に示すように、ＣＰＵ２１は、液晶ディスプレイ１３に待機中の表示を行う。
【００５６】
［帰宅お知らせ処理］
次に、「帰宅お知らせ処理」のサブ処理について図９乃至図１２に基づいて説明する。
図９は図４の「帰宅お知らせ処理」のサブ処理を示すサブフローチャートである。図１０はステップ３１１における液晶ディスプレイ１３の表示の一例を示す図である。図１１はステップ３１３における液晶ディスプレイ１３の表示の一例を示す図である。図１２は「帰宅お知らせ処理」のサブ処理終了後における液晶ディスプレイ１３の表示の一例を示す図である。
【００５７】
図９に示すように、Ｓ３１１において、ＣＰＵ２１は、所定メッセージを送信する相手先のダイヤル番号をＥＥＰＲＯＭ２１Ｂから読み出し、当該ダイヤル番号に発呼を行う。また、ＣＰＵ２１は、上記Ｓ１４で設定された「極小」レベルの音量で、ダイヤル送出音を再生する。また、例えば、図１０に示すように、ＣＰＵ２１は、液晶ディスプレイ１３に「ダイヤル中です」と表示すると共に、当該ダイヤル番号「０９０１２３４５６７８」を表示する。
【００５８】
これにより、親機１０の近くで検知された人（例えば、父親である。）は、夜遅く帰宅した場合に、親機１０が相手先に帰宅を知らせる電話をかけていることを認識することが可能となる。また、当該ダイヤル送出音は親機１０の近くで聞き取り可能な音量であるため、寝室等で寝ている家族には聞こえないため、当該家族の安眠がを妨げられる等の不愉快な思いを防止することが可能となる。
【００５９】
続いて、Ｓ３１２において、ＣＰＵ２１は、相手先が応答したか否か、即ち、相手先電話装置との間で外線通話が可能な状態になったか否かを判定する判定処理を実行する。そして、相手先が応答しない場合には（Ｓ２１２：ＮＯ）、ＣＰＵ２１は、Ｓ３１４の処理に移行する。
【００６０】
一方、相手先が応答して、相手先電話装置との間で外線通話が可能な状態になった場合には（Ｓ３１２：ＹＥＳ）、ＣＰＵ２１は、Ｓ３１３の処理に移行する。Ｓ３１３において、ＣＰＵ２１は、ＲＯＭ２１Ｃに予め登録されている帰宅を知らせる所定メッセージを読み出し、相手先電話装置へ送出する。また、同時に、ＣＰＵ２１は、この所定メッセージをスピーカ２３Ａを介して、上記Ｓ１４で設定された「極小」レベルの音量で再生する。また、例えば、図１１に示すように、ＣＰＵ２１は、液晶ディスプレイ１３に「帰宅おしらせ中です」と表示する。
【００６１】
これにより、親機１０の近くで検知された人（例えば、夜遅く帰宅した父親である。）は、親機１０が相手先電話装置に送出している所定メッセージを認識することが可能となる。また、当該所定メッセージの再生音は親機１０の近くで聞き取り可能な音量であるため、寝室等で寝ている家族には聞こえないため、当該家族の安眠が妨げられる等の不愉快な思いを防止することが可能となる。
【００６２】
続いて、Ｓ３１４において、ＣＰＵ２１は、回線を開放後、当該サブ処理を終了して、「静穏モード報知処理」のサブ処理に戻る。また、例えば、図１２に示すように、ＣＰＵ２１は、液晶ディスプレイ１３に待機中の表示を行う。
【００６３】
［本実施例の効果］
以上詳細に説明した通り、本実施例に係るファクシミリ装置１では、親機１０のＣＰＵ２１は、静穏モードに設定され、且つ、焦電センサ１６によって、親機１０の周囲に人を検知した場合には、設定可能な４段階の音量のうち、親機１０の近くで聞き取り可能な「極小」レベルの音量でメッセージやダイヤル送出音等を再生する（Ｓ１１１〜Ｓ１１５）。
【００６４】
これにより、ユーザは、静穏モードが設定されている夜遅い帰宅時等の場合には、スピーカ２３Ａの音量が「極小」レベルの音量に設定されていることを予め認識しているため、親機１０から報知されるメッセージ等を本体の近くで、注意して聞き取ることが可能となる。また同時に、当該メッセージやダイヤル送出音は親機１０の近くで聞き取り可能な音量であるため、寝室等で寝ている家族には聞こえないため、当該家族の安眠が妨げられる等の不愉快な思いを防止することが可能となる。
【００６５】
また、親機１０のＣＰＵ２１は、静穏モードに設定され、且つ、焦電センサ１６によって、親機１０の周囲に人を検知した場合には、「極小」レベルの音量で「ピーッ」等の喚起音を鳴らすと共に、液晶ディスプレイ１３のバックライトを光らせる（Ｓ１１１）。これにより、ＣＰＵ２１は、焦電センサ１６で検知した人の注意を引いて、報知内容がある旨を確実に知らせることが可能となる。また、ユーザは、「極小」レベルの音量で再生された喚起音等を聞き逃しても、液晶ディスプレイ１３のバックライトが光るため、「極小」レベルの音量で再生されたメッセージを再度、聞き直すことが可能となる。
【００６６】
また、親機１０のＣＰＵ２１は、静穏モードに設定され、且つ、焦電センサ１６によって、親機１０の周囲に人を検知した場合には、メッセージ等を再生する際に、液晶ディスプレイ１３に「メッセージ再生中です」と表示する（Ｓ２１１）。このため、当該検知された人は、液晶ディスプレイ１３に表示されたメッセージによって、スピーカ２３Ａによって、「極小」レベルの音量でメッセージが再生されていることを容易に認識することが可能となる。また、ユーザは、「極小」レベルの音量で再生されたメッセージを聞き逃しても、再度、聞き直すことが可能となる。
【００６７】
また、親機１０のＣＰＵ２１は、静穏モードに設定され、且つ、焦電センサ１６によって、親機１０の周囲に人を検知した場合には、メッセージ等を再生する際に、最初に「ピーッ」等の喚起音を鳴らした後、当該メッセージ等を再生する（Ｓ２１１）。これにより、検知された人は、喚起音を聞くことによって、メッセージ等の再生があることを容易に認識できる。そして、検知された人は、「極小」レベルの音量で再生される当該メッセージを注意深く聞くことが可能となり、伝達事項等を確実に聞き取ることが可能となる。
更に、焦電センサ１６は、焦電型赤外線センサであるため、親機１０の周囲に近づいた人を確実に検出することが可能となる。
【００６８】
尚、本発明は前記実施例に限定されることはなく、本発明の要旨を逸脱しない範囲内で種々の改良、変形が可能であることは勿論である。例えば、以下のようにしてもよい。
【００６９】
（Ａ）静穏モードに設定されている場合には、親機１０のＣＰＵ２１は、画像データ等のファクシミリメッセージを受信した際には、無鳴動着信し、当該ファクシミリメッセージを印刷せず、ＲＡＭ２１Ａに記憶するようにしてもよい。そして、静穏モード終了後に、当該ファクシミリメッセージを印刷するようにしてもよい。これにより、印刷音等によって就寝している人の安眠を妨げる等の不愉快な思いを防止することが可能となる。
【００７０】
（Ｂ）また、静穏モードに設定されている場合には、外線から着信があった場合には、メッセージを留守番録音すると共に、当該留守番録音中は、スピーカ２３Ａによるメッセージの再生（回線モニター）を行わないようにしてもよい。
【００７１】
（Ｃ）また、目覚まし機能を備えている場合には、静穏モードに設定されていても、目覚ましの設定時刻になった時は、ＣＰＵ２１は、スピーカ２３Ａの音量を「大」に設定して、目覚まし音を再生するようにしてもよい。これにより、ユーザは、静穏モードの設定時間内でも、目覚まし機能を使用することが可能となる。
【００７２】
（Ｄ）また、静穏モードに設定されている場合には、親機１０のＣＰＵ２１は、子機５０のＣＰＵ６１から内線呼出コマンドを受信した場合には、スピーカ２３Ａを介して、当該親機１０の近くで聞き取り可能な「極小」レベルの音量で呼び出し音を再生するようにしてもよい。これにより、既に就寝している他の人の安眠を妨げる等の不愉快な思いを防止すると共に、親機１０の近くにいる人は、子機５０の呼び出しに対して適切に応対することが可能となる。
【図面の簡単な説明】
【００７３】
【図１】本実施例に係るファクシミリ装置の概略構成を示す斜視図である。
【図２】ファクシミリ装置の電気的構成を示すブロック図である。
【図３】親機のＣＰＵが実行する人を検知した場合に、メッセージ等を報知する「報知処理」を示すメインフローチャートである。
【図４】図３の「静穏モード報知処理」のサブ処理を示すサブフローチャートである。
【図５】図４の「メッセージ再生処理」のサブ処理を示すサブフローチャートである。
【図６】ステップ２１１における液晶ディスプレイの表示の一例を示す図である。
【図７】メッセージ再生後における液晶ディスプレイの表示の一例を示す図である。
【図８】「メッセージ再生処理」のサブ処理終了後における液晶ディスプレイの表示の一例を示す図である。
【図９】図４の「帰宅お知らせ処理」のサブ処理を示すサブフローチャートである。
【図１０】ステップ３１１における液晶ディスプレイの表示の一例を示す図である。
【図１１】ステップ３１３における液晶ディスプレイの表示の一例を示す図である。
【図１２】「帰宅お知らせ処理」のサブ処理終了後における液晶ディスプレイの表示の一例を示す図である。
【符号の説明】
【００７４】
１・・・ファクシミリ装置
１０・・・親機
１３・・・液晶ディスプレイ（ＬＣＤ）
１４・・・操作ボタン
１６・・・焦電型赤外線センサ（焦電センサ）
２０・・・制御部
２１・・・ＣＰＵ
２１Ａ・・・ＲＡＭ
２１Ｂ・・・ＥＥＰＲＯＭ
２１Ｃ・・・ＲＯＭ
２３Ａ・・・スピーカ
５０・・・子機
１００・・・電話回線網
【図１】
2008244881.tif 000003
【図２】
2008244881.tif 000004
【図３】
2008244881.tif 000005
【図４】
2008244881.tif 000006
【図５】
2008244881.tif 000007
【図６】
2008244881.tif 000008
【図７】
2008244881.tif 000009
【図８】
2008244881.tif 000010
【図９】
2008244881.tif 000011
【図１０】
2008244881.tif 000012
【図１１】
2008244881.tif 000013
【図１２】
2008244881.tif 000014